(57)【要約】【課題】強度が高くて堅牢であり、高さ方向に折り畳み可能で、使用するときは高い登上空間が得られる、折りたたみ式アルミニウム製梯子を提供すること。【解決手段】踏桟１００Ａと、両側の支柱２００を備えた複数の梯板ユニット１０１，１０２，１０３を上下に連結して形成され、支柱２００は、メインパネルの両側にサイドパネルを設けて成り、サイドパネルとメインパネルとの間、サイドパネル及びメインパネルの上下端にそれぞれ蝶番３００が設置され、サイドパネルをメインパネルに対して平行または垂直にすることができ、上下に隣接するサイドパネル及びメインパネルが枢着され、梯板ユニットどうしの枢着端において、サイドパネルとメインパネルの端部に、これらパネルより強度に優れた材質から成る端部連結器が設置され、端部連結器と蝶番３００が一体に形成される。【選択図】図１
0003182691.tif 000002
【実用新案登録請求の範囲】
【請求項１】
折りたたみ式アルミニウム製梯子であって、複数の梯板ユニットを上下に連結して構成され、前記各梯板ユニットが、踏桟と、前記踏桟の両側に設置された支柱を備え、前記各支柱が、メインパネルの両側にサイドパネルをそれぞれ設けて成り、前記サイドパネルと前記メインパネルとの間、並びに、各梯板ユニットの前記サイドパネル及びメインパネルの上下端にそれぞれ蝶番が設置され、前記サイドパネルを前記メインパネルに対して平行または垂直にすることができ、かつ、上下に隣接する梯板ユニットのサイドパネル及びメインパネルが蝶番により枢着されて組み立てられ、前記梯板ユニットどうしの枢着端において、サイドパネル及びメインパネルの端部に端部連結器が設置され、前記端部連結器と蝶番が一体に形成され、かつ前記端部連結器が前記サイドパネル及び前記メインパネルより強度に優れた材質から成ることを特徴とする、折りたたみ式アルミニウム製梯子。
【請求項２】
前記端部連結器がアルミニウム・マグネシウム合金材質から成り、その端縁断面が弧形面とされ、緊密な嵌合、リベット打ちまたはスナップ嵌合により前記メインパネルと前記サイドパネルの端部に結合されたことを特徴とする、請求項１に記載の折りたたみ式アルミニウム製梯子。
【請求項３】
中空の前記メインパネルと前記サイドパネルの内部に、前後面または左右面に連設された、パネルの強度を向上するための複数のリブが設けられたことを特徴とする、請求項１に記載の折りたたみ式アルミニウム製梯子。
【請求項４】
前記メインパネルの両側部に凸部またはほぞがそれぞれ設置され、前記サイドパネルの側面にほぞ溝が形成され、前記サイドパネルを蝶番により回動させて前記メインパネルと垂直にしたとき、前記ほぞ溝に前記メインパネルの凸部またはほぞが嵌入されて前記メインパネルとサイドパネルが位置決めされてぐらつきを防ぐことを特徴とする、請求項１乃至３のいずれかに記載の折りたたみ式アルミニウム製梯子。
【請求項５】
一対の前記折りたたみ式アルミニウム製梯子より成り、両側に配置された支柱の上端どうしが枢着され、最上端に位置する一方の前記梯板ユニットのメインパネルにスロットが形成され、該スロット内に収納式天板の一端部が回動可能に枢着されたことを特徴とする、請求項４に記載の折りたたみ式アルミニウム製梯子。
【請求項６】
最上端に位置する一方の梯板ユニットの前記サイドパネルに、反対側の前記サイドパネルに着脱自在に掛止される可動式開き止め具を設けたことを特徴とする、請求項５に記載の折りたたみ式アルミニウム製梯子。
【考案の詳細な説明】
【技術分野】
【０００１】
本考案は、折りたたむことができ、現場の必要に応じて組み立てられる、折りたたみ式アルミニウム製梯子に関する。
【背景技術】
【０００２】
アルミニウム製梯子は、主に、人が高いところに上るために用いられ、通常のアルミニウム製梯子は、２本のコ字形の支柱の間に一定の間隔で複数の踏桟を横架・固定して構成される。
折りたたみ式のアルミニウム製梯子は、２つの梯子の上端を相互に枢着し、下端を展開することができ、中折れ式の開き止め具で２つの梯子の展開角度を限定することにより、三角錐形の脚立構造が形成され、使用者は梯子の踏桟を踏んで高所に登ることができる。
【０００３】
しかしながら、従来の折りたたみ式アルミニウム製梯子は、折り畳み時に中折れ式の開き止め具を折り曲げて２つの梯子を閉じ合わせるしかなく、折り畳み後の高さは高いままである。
高さが変化しない状況では、収納して保管することができず、特に家の中の階段で長すぎる梯子を持って移動させることは使用上不便である。また、自動車で運搬する際にも、小型車では収納するための十分な空間を確保できない問題もあり、従来のアルミニウム製梯子は収納または運搬のいずれにおいても非常に不便である。
【考案の概要】
【考案が解決しようとする課題】
【０００４】
本考案が解決しようとする課題は、強度が高くて堅牢であり、高さ方向に折り畳み可能で、使用するときは高い登上空間が得られ、繰り返しの折り畳み及び展開に耐えられる、折りたたみ式アルミニウム製梯子を提供することにある。
本考案の別の目的は、サイドパネルをメインパネルに対して垂直に折り曲げたとき、メインパネルとサイドパネルがしっかりと位置決めされ、組み立て後のアルミニウム製梯子にぐらつきが生じないようにすることにある。
本考案のさらに別の目的は、上端が枢着された一対のアルミニウム製梯子をＡ字形に展開して使用するとき、一方のアルミニウム製梯子のサイドパネルに設けた可動式開き止め具を反対側のサイドパネルに掛止して使用上の安全性を確保することにある。
【課題を解決するための手段】
【０００５】
本考案の折りたたみ式アルミニウム製梯子は、複数の梯板ユニットを上下に連結して構成され、前記各梯板ユニットが、踏桟と、前記踏桟の両側に設置された支柱を備え、前記各支柱が、メインパネルの両側にサイドパネルをそれぞれ設けて成り、前記サイドパネルと前記メインパネルとの間、並びに、各梯板ユニットの前記サイドパネル及びメインパネルの上下端にそれぞれ蝶番が設置され、前記サイドパネルを前記メインパネルに対して平行または垂直にすることができ、かつ、上下に隣接する梯板ユニットのサイドパネル及びメインパネルが蝶番により枢着されて組み立てられ、前記梯板ユニットどうしの枢着端において、サイドパネル及びメインパネルの端部に端部連結器が設置され、前記端部連結器と蝶番が一体に形成され、かつ前記端部連結器が前記サイドパネル及び前記メインパネルより強度に優れた材質から成る。
【０００６】
前記端部連結器が、アルミニウム・マグネシウム合金材質から成り、その端縁断面が弧形面とされ、緊密な嵌合、リベット打ちまたはスナップ嵌合により前記メインパネルと前記サイドパネルの端部に結合されることがある。
中空の前記メインパネルと前記サイドパネルの内部に、前後面または左右面に連設された、パネルの強度を向上するための複数のリブを設けても良い。
前記メインパネルの両側部に凸部またはほぞがそれぞれ設置され、前記サイドパネルの側面にほぞ溝が形成され、前記サイドパネルを蝶番により回動させて前記メインパネルと垂直にしたとき、前記ほぞ溝に前記メインパネルの凸部またはほぞが嵌入されて前記メインパネルとサイドパネルが位置決めされ、ぐらつきを防ぐこともできる。
一対の前記折りたたみ式アルミニウム製梯子より成り、両側に配置された支柱の上端どうしが枢着される場合、最上端に位置する一方の前記梯板ユニットのメインパネルにスロットを形成し、該スロット内に収納式天板の一端部を回動可能に枢着することがある。
この時、最上端に位置する一方の梯板ユニットの前記サイドパネルに、反対側の前記サイドパネルに着脱自在に掛止される可動式開き止め具を設けると良い。
【考案の効果】
【０００７】
本考案の折りたたみ式アルミニウム製梯子は、高さ方向に折り畳むことができて、収納及び運搬に便利であり、堅牢性及び耐久性が高く、長期間にわたって折り畳みと展開を繰り返しても破損し難い。
【図面の簡単な説明】
【０００８】
【図１】本考案の実施例を示すアルミニウム製梯子の斜視図である。
【図２】本考案の実施例に係る支柱の要部斜視図である。
【図３】本考案の実施例に係る支柱の展開状態における平面図である。
【図４】本考案の実施例に係る支柱のメインパネルとサイドパネルを垂直にする動作を示す平面図である。
【図５】本考案の実施例に係る梯板ユニットどうしの枢着部の断面図である。
【図６】本考案の実施例に係る収納式天板の使用状態における断面図である。
【図７】本考案の実施例に係る可動式開き止め具の使用状態における側面図である。
【図８Ａ】本考案の他の実施例に係る支柱のメインパネルとサイドパネルの展開状態における平面図である。
【図８Ｂ】本考案の他の実施例に係る支柱のメインパネルとサイドパネルの垂直にする動作を示す平面図である。
【図９Ａ】本考案のさらに他の実施例に係るパネルと端部連結器の断面図である。
【図９Ｂ】本考案のさらに他の実施例に係るメインパネルとサイドパネルの接続部の断面図である。
【考案を実施するための形態】
【０００９】
以下、本考案の実施例を図面に基づいて詳細に説明する。図１〜図７は、本考案の実施例１を示す。
図１、図２に示すように、折りたたみ式アルミニウム製梯子１００は、複数の梯板ユニット１０１、１０２、１０３を上下方向に並べて配置し、互いに枢着して構成される。
各梯板ユニット１０１、１０２、１０３は、踏桟１００Ａの両側にそれぞれ支柱２００を備えて成る。
【００１０】
各支柱２００は、メインパネル２０１と２つのサイドパネル２０２、２０３を含み、サイドパネル２０２、２０３はメインパネル２０１と蝶番３００で枢着され、メインパネル２０１の両側で、メインパネル２０１に対して平行または垂直にすることができる。
サイドパネル２０２、２０３とメインパネル２０１の上下端にも蝶番３００が設けられ、この蝶番３００を介して隣接する梯板ユニットと結合して組み立て、アルミニウム製梯子１００とすることができる。
また、サイドパネル２０２、２０３のいずれか一方に踏桟１００Ａの端部が固定され、サイドパネル２０２、２０３とメインパネル２０１を平行に展開すると、踏桟１００Ａも平行になり、蝶番３００を介して連結された上下の支柱２００を折り畳むことができるようになっている。
【００１１】
図３、図４に示すように、支柱２００のメインパネル２０１の両側には、斜め内面方向に延伸されたほぞ２０Ａ、２０Ｂがそれぞれ設けられ、サイドパネル２０２、２０３の側面には、ほぞ２０Ａ、２０Ｂが回動可能に係合する断面扇形の嵌入溝２１Ａ、２１Ｂがそれぞれ設けられる。
そして、サイドパネル２０２、２０３がメインパネル２０１両側で内面側に９０度に折り曲げられたとき、メインパネル２０１のほぞ２０Ａ、２０Ｂが、サイドパネル２０２、２０３の嵌入溝２１Ａ、２１Ｂに嵌入されてその端部に当接し、サイドパネル２０２、２０３とメインパネル２０１がしっかりと位置決めされて、組み立てたアルミニウム製梯子がぐらつくのを防ぐことができる。
【００１２】
メインパネル２０１とサイドパネル２０２、２０３はアルミ押出成型され、図５に示すように、メインパネル２０１とサイドパネル２０２、２０３の上下端部に端部連結器５００が設置される。端部連結器５００と上下に隣り合う梯板ユニットを連結する蝶番３００は一体成型されている。また、端部連結器５００は、硬度が比較的優れたアルミニウム・マグネシウム合金材質を用い、複数回の繰り返しの回動動作に対する耐用性を持たせ、使用上の安全性を高めることができる。
端部連結器５００の端縁断面は弧形面５０１、５０２となっており、パネルに組み込んだ後パネルの加工で形成された鋭い端部を被覆して使用者が使用時にけがをしないようにすることができる。
【００１３】
図６に示すように、一対のアルミニウム製梯子１００より成り、両側の支柱２００の上端どうしを枢着して、下端を開閉自在とした場合、最上端に設置された支柱２００のメインパネル２０１には、収納式天板６００を設けることができる。
最上端の支柱２００のメインパネル２０１にはスロット２０１Ａが形成され、収納式天板６００の一端部がスロット２０１Ａ内においてメインパネル２０１に枢着されている。
収納式天板６００は、使用しないとき、スロット２０１Ａ内に配置され、アルミニウム製梯子１００をＡ字形に展開して使用するときは、収納式天板６００を上に持ち上げて枢軸６０１を中心に回転させ、２本の支柱の上端に平らに配置して使用者が上に登ることができるようにする。
【００１４】
このように一対のアルミニウム製梯子１００の上端を枢着してある場合、図７に示すように、一方のアルミニウム製梯子１００の最上端に位置する支柱２００のサイドパネル２０２に可動式開き止め具７００を設置することができる。
可動式開き止め具７００の一端部はサイドパネル２０２に軸着される。可動式開き止め具７００の他端部には凹部が形成され、他方のアルミニウム製梯子１００の最上端に位置する支柱２００のサイドパネル２０２には凸部７０１が設けられる。
そして、可動式開き止め具７００は、使用しないとき、サイドパネル２０２に沿って吊り下げてあり、アルミニウム製梯子１００をＡ字形に展開して使用するときは、可動式開き止め具７００を反対側のサイドパネル２０２の凸部７０１に掛止し、使用上の安全性を向上することができる。
【００１５】
図８Ａ、図８Ｂに示すように、メインパネル８０１の両側に、内面側に向かって突起した円形突起８０１Ａを形成し、その側面の内側角部に弧形凹陥部８０１Ｂを形成して蝶番８を収容し、サイドパネル８０２、８０３の内面側部にほぞ溝８０２Ａ、８０３Ａを形成し、その角部にも蝶番８を収容するための弧形凹陥部８０２Ｂ、８０３Ｂを形成することができる。
これにより、サイドパネル８０２、８０３を平らに配置したときは、その側面がメインパネル８０１の側面にほぼ当接され、９０度回動させたときは、ほぞ溝８０２Ａ、８０３Ａに円形突起８０１Ａを嵌入させて固定することができる。
【００１６】
図９Ａ、図９Ｂに示すように、端部連結器９００は、緊密な嵌合、リベット打ちまたはスナップ嵌合方式でメインパネル４００Ａとサイドパネル４００Ｂの端部に結合することができる。
また、中空のメインパネル４００Ａとサイドパネル４００Ｂの内部には、前後面または左右面に連接された複数のリブ４０１を設置してその強度を高めることもできる。
【００１７】
以上は、本考案の最良の実施例を説明したものであり、本考案の具体的な構造はこれに限定されず、当業者が容易に想到し得る変更または修飾は、すべて本考案の権利範囲に含まれる。
【符号の説明】
【００１８】
１００    折りたたみ式アルミニウム製梯子
１０１、１０２、１０３    梯板ユニット
１００Ａ    踏桟
２００    支柱
２０１、８０１    メインパネル
２０２、２０３、８０２、８０３    サイドパネル
３００、８    蝶番
２０Ａ、２０Ｂ    ほぞ
２１Ａ、２１Ｂ    嵌入溝
４００Ａ    メインパネル
４００Ｂ    サイドパネル
４０１    リブ
５００、９００    端部連結器
５０１、５０２    弧形面
６００    収納式天板
６０１    枢軸
７００    可動式開き止め具
７０１    凸部
８０１Ａ    円形突起
８０１Ｂ、８０２Ｂ、８０３Ｂ    弧形凹陥部
８０２Ａ、８０３Ａ    ほぞ溝
【図１】
0003182691.tif 000003
【図２】
0003182691.tif 000004
【図３】
0003182691.tif 000005
【図４】
0003182691.tif 000006
【図５】
0003182691.tif 000007
【図６】
0003182691.tif 000008
【図７】
0003182691.tif 000009
【図８Ａ】
0003182691.tif 000010
【図８Ｂ】
0003182691.tif 000011
【図９Ａ】
0003182691.tif 000012
【図９Ｂ】
0003182691.tif 000013